(57)【要約】      （修正有）【課題】広告内容が昼夜切り替え、昼間はより多くの使用者が安い費用で効率よく看板広告を利用できるようにする。【解決手段】表面に複数の３原色発光ダイオードを備えるとともに枠体の内方に固定されるベースプレートと、ベースプレートを覆うようにして枠体に固定される透明な面板と、３原色発光ダイオードに通電する電子制御装置とからなり、３原色発光ダイオードに通電し発光させて広告を表示する。ベースプレートと透明な面板との間に可撓性のシートを配置し、このシートの上下端を上下のローラーに巻き取り可能に取り付け、上下のローラーを回転できるように上下モーターと連結し、これら上下モーターに制御部から択一的に通電して回転制御する。【選択図】図１
0003127763.tif 000002
【実用新案登録請求の範囲】
【請求項１】
固定用の枠体と、表面に格子状に一定間隔で配置された複数の３原色発光ダイオードを備えるとともに前記枠体の内方に固定される所定面積のベースプレートと、このベースプレート５の全面を覆うようにして前記枠体に固定される透明な面板と、前記複数の３原色発光ダイオードにそれぞれ個別に通電する電子制御装置とからなり、前記電子制御装置から前記３原色発光ダイオードに通電し発光させて映像と文字を表示する看板装置において、
前記ベースプレートと透明な面板との間に可撓性で巻き取り可能なシートを配置し、このシートの上端を上方のローラーに巻き取り可能に取り付け、この上方のローラーを前記ベースプレートの上端部近傍で前記枠体に回転可能に支持し、この上方のローラーを回転できるように回転機構と連結し、
このシートの下端を前記上方のローラーと平行な下方のローラーに巻き取り可能に取り付け、この下方のローラーを前記ベースプレート５の下端部近傍で前記枠体に回転可能に支持し、この下方のローラーを回転機構と連結し、
前記シートの長さは前記上・下方のローラーの間の距離の複数倍に形成し、前記シートを前記ベースプレートの面積で複数の領域に区画し、各領域には互いに異なる映像と文字をペンキや印刷により描いて別々の広告とし、少なくとも一の領域は透明部を設け、前記シートの上・下端が前記上・下方のローラーにそれぞれ巻き取られることで、前記何れかの領域が前記ベースプレートと重なる位置に設定されるようにし、
昼間には、前記回転機構により前記上・下方のローラーを択一的に回転し、前記複数の領域から一の広告を選択的にベースプレートと透明な面板との間に静止するように設定し、太陽光や外部からの光により該当する一の広告が前記面板を通して、外方から見えるようにし、
夜間には、前記回転機構により前記上・下方のローラーを択一的に回転し、前記シートの透明部がベースプレートと前記透明な面板との間に静止するように設定し、前記電子制御装置により前記３原色発光ダイオードに通電して発光させ映像と文字を表示し前記ベースプレート上の電光広告が前記透明部及び前記面板を通して外方から見えるようにしたことを特徴とする看板装置。
【請求項２】
前記枠体を前記透明な面板を蓋とする箱状に形成し、当該看板装置を運搬可能にしたことを特徴とする請求項１に記載の看板装置。
【請求項３】
前記回転機構は、上モーター及び下モーターとこれらを電気的に制御する制御部とで構成したことを特徴とする請求項１に記載の看板装置。
【考案の詳細な説明】
【技術分野】
【０００１】  この考案は、電光看板とペンキ看板とを同時に使用した看板装置に関し、特に、随時昼間でも、更に昼夜間で表示を変更することができる看板装置に関する。
【背景技術】
【０００２】  現在使用されている電子看板では、基板の正面に、複数の発光素子（ＬＥＤ）が配設されている。各発光素子の位置は定義されており、ＰＣ（電子計算機）などの制御回路の制御を受けて導通されて発光し、これにより必要な文字及び又は絵を表示させている。しかし、このような電子看板は高価であり、多くの希望者が簡単に利用できるものではなかった。【０００３】  また、大型のペンキ塗り看板では資金力のある有力企業が１枚の看板全面を占有し又は所有し、資金力の無い中小企業では借りたくても所有したくても予算の制限により利用できないという欠点があった。
これらは文字及び又は絵がペンキ塗りや印刷物のため固定されているので、日毎に変わる季節的な大売出しなどに利用するには変更にコストがかかり不便であった。更に夜間において広告するには多数の白熱電灯やネオン管の電気照明を必要とし電力費用が高く付く欠点があった。【０００４】  従来技術には、韓国発発明や台湾から日本へ出願された特表２００４−５３０９３２と特開２００２−５５６３６がある。
これら発明では大型基板の正面に描き看板を重ねた夜・昼切り替え方式の２重看板が知られている。大型基板の正面に配設されている複数の発光素子（ＬＥＤ）のそれぞれに重なる描き看板には無数の穴が空けられている。昼間遠くから見るとこれら穴は殆ど見えなくなり、描き看板の広告が観測される。一方暗くなった夜間には発光素子の発射する光線による広告が明るくなって観測される。
【考案の開示】
【考案が解決しようとする課題】
【０００５】  従来の大規模の描き看板では、季節的又は臨時の大売出しなどで広告主の要求する即変更可能なリアルタイムでの広告が出来ない不便があった。また大型の電子看板では資金力のある有力企業が貸し切り、資金力の無い中小企業では借りたくても予算の制限により利用できない欠点があった。
面板の描き看板の広告である静態文字及び又は絵では、夜間照明が必要で、電力費用だけが嵩み、また長期間同じ広告を出して消費者に飽きられる欠点があった。【０００６】  本考案の目的は、広告内容が昼夜切り替え、昼間はペンキ看板を複数に変更して、多くの使用希望者が、安い費用で効率よく昼も夜も広告に参加できるようにした看板装置を提供することを目的とする。
【課題を解決するための手段】
【０００７】  請求項１の考案は、上記問題を解決するためになされたもので、固定用の枠体と、表面に格子状に一定間隔で配置された複数の３原色発光ダイオードを備えるとともに前記枠体の内方に固定される所定面積のベースプレートと、このベースプレート５の全面を覆うようにして前記枠体に固定される透明な面板と、前記複数の３原色発光ダイオードにそれぞれ個別に通電する電子制御装置とからなり、前記電子制御装置から前記３原色発光ダイオードに通電し発光させて映像と文字を表示する看板装置を改良する。
前記ベースプレートと透明な面板との間に可撓性で巻き取り可能なシートを配置し、このシートの上端を上方のローラーに巻き取り可能に取り付け、この上方のローラーを前記ベースプレートの上端部近傍で前記枠体に回転可能に支持し、この上方のローラーを回転できるように回転機構と連結し、このシートの下端を前記上方のローラーと平行な下方のローラーに巻き取り可能に取り付け、この下方のローラーを前記ベースプレート５の下端部近傍で前記枠体に回転可能に支持し、この下方のローラーを回転機構と連結する。
前記シートの長さは前記上・下方のローラーの間の距離の複数倍に形成し、前記シートを前記ベースプレートの面積で複数の領域に区画し、各領域には互いに異なる映像と文字をペンキや印刷により描いて別々の広告とし、少なくとも一の領域は透明部を設け、前記シートの上・下端が前記上・下方のローラーにそれぞれ巻き取られることで、前記何れかの領域が前記ベースプレートと重なる位置に設定されるようにする。昼間には、前記回転機構により前記上・下方のローラーを択一的に回転し、前記複数の領域から一の広告を選択的にベースプレートと透明な面板との間に静止するように設定し、太陽光や外部からの光により該当する一の広告が前記面板を通して、外方から見えるようにする。夜間には、前記回転機構により前記上・下方のローラーを択一的に回転し、前記シートの透明部がベースプレートと前記透明な面板との間に静止するように設定し、前記電子制御装置により前記３原色発光ダイオードに通電して発光させ映像と文字を表示し前記ベースプレート上の電光広告が前記透明部及び前記面板を通して外方から見えるようにした。【０００８】  請求項２の考案は、前記枠体を前記透明な面板を蓋とする箱状に形成し、当該看板装置を運搬可能にしたことを特徴とする。
請求項３の考案は、前記回転機構は、上モーター及び下モーターとこれらを電気的に制御する制御部とで構成したことを特徴とする。
【考案の効果】
【０００９】この考案では、広告内容が昼夜切り替えられるようなり、またペンキ等の描き広告が変更されるので多くの使用希望者が安い費用で効率よく昼夜の広告に参加できるようにした。
更に夜間用の電子看板になると、電子制御装置によりリアルタイムの通告板とにし、また随時動画の広告を変更できるようにした。
箱状の看板装置は随時所望の住所の建物に取り付けて、その後別の住所に移動できるようになった。
【考案を実施するための最良の形態】
【００１０】  本考案の看板装置について図を参照して説明する。図１、図２において看板装置１５は、図中右から左の順に枠体４と格子状に一定間隔で配置された３原色ＬＥＤ（発光ダイオード）６を備え付けたベースプレート５とシート１と透明な面板１０とから構成されている。
枠体４は矩形であり、枠体４は建物の一部であってもよい。ベースプレート５は４辺形であり、枠体４の一部にほぼ垂直に固定され、シート１は上端と下端が上・下の円筒形のローラー１３にそれぞれ固定されている。巻き込み可能なシート１の長さは上・下の円筒形のローラー１３間の距離より数倍も長く、シート１の上端側と下端側とが上下の円筒形のローラー１３にそれぞれ巻き取られている。従って、透明な面板１０に対向するシート１の面がたるみなく張った状態に維持されている。図１では説明のため、上・下のローラー１３の距離を広げて示している。【００１１】  枠体４の内方面積はベースプレート５よりやや面積が大きく、また透明な面板１０はベースプレート５よりやや面積が大きくなっている。上・下のローラー１３は互いに平行で水平方向に配置され、これら２本のローラー１３間の距離はベースプレート５の高さよりやや大きく設定されている。
シート１は引っ張り力に対して強く、可撓性のビニール等の薄い膜を材料としている。
面板１０はガラスや透明なアクリル板から構成され、その４辺部が枠体４の一部に固定されている。ベースプレート５と巻き取り型のシート１と透明な面板１０とは水平方からみると重なるように配置されている。
各３原色ＬＥＤ（発光ダイオード）６は、拡大して示すように赤色ＬＥＤ７と青色ＬＥＤ８と黄色ＬＥＤ９とは互いに触れる程度に接近して構成されている。【００１２】  各３原色ＬＥＤ（発光ダイオード）６は互いに異なる番地が付与され、その赤色ＬＥＤ７と青色ＬＥＤ８と黄色ＬＥＤ９はこの共通番地に加えて各色に対応するサブ番地が制御コンピュータ（ＰＣ）１６によりそれぞれ割り付けられている。これら番地とサブ番地により各３原色ＬＥＤ（発光ダイオード）６の赤色ＬＥＤ７と青色ＬＥＤ８と黄色ＬＥＤ９とは制御コンピュータ（ＰＣ）１６によりそれぞれ識別されている。
赤色ＬＥＤ７と青色ＬＥＤ８と黄色ＬＥＤ９とは互いに独立に制御コンピュータ（ＰＣ）１６により点滅と輝度と発光とが正確に制御され、これらは同一輝度で発光されると白色光を外部に放射する。【００１３】  上下のローラー１３の一端は上下にあるベアリングなどを介して枠体４（以後枠体を建物４の一部として説明する）の別の一部にそれぞれ回転自在に支持され、他端は上下にあるモーター１２の出力軸にそれぞれ固定されている。上下のモーター１２は建物４のなお更に別の一部にそれぞれ固定されている。
モーター１２の出力軸は正負方向に回転可能であり、この回転は駆動部１７より回転方向と回転角度（数）とが制御される。【００１４】  図３、図４において、説明上透明な面板１０を省略し、シート１は一部を上下に広げて示し、複数の領域に上下に均等に区割された様子を示している。各領域はベースプレート５とほぼ同一面積であり、それぞれ番地が付与されている。ある番地の領域ではペンキや印刷により広告の人面図柄１８が描かれている。他の番地の領域では印刷等により他の広告の太陽図柄１９が描かれている。
更に他の番地の領域では印刷等により他の広告のハート図柄２０が描かれている。各図柄１８、図柄１９、図柄２０中で、何も描かれない部分２１はいずれも同様に白濁状に表面が処理されて、光を散乱させる状態にしている。【００１５】  図３において、更にシート１の特定番地の領域では、前面から背後にある３原色ＬＥＤ（発光ダイオード）６が見えるように透明部２２が形成されている。
シート１の各番地の領域が、適宜ベースプレート５及び透明な面板１０とが正面方向から見ると重なるように、駆動部１７はモーター１２の正負方向と回転角度を制御する。
更に駆動部１７を制御コンピュータ（ＰＣ）１６により制御してもよい。またシート１を長くして他の領域を増設して、長くなった領域分は上・下ローラー１３に巻き取り、そこに更に他の広告用図柄を描くことができる。【００１６】  看板装置１５は通行人から見易いように通常建物４の壁や屋根に形成又は設置される。
昼間は人面図柄１８又は太陽図柄１９がベースプレート５及び透明な面板１０とが重なるに駆動部１７により設定する。又一定時間毎に人面図柄１８と太陽図柄１９とが交替するように駆動部１７により一方のモーター１２を回転させ、一方のローラー１３にシート１を巻き取るようにする。更にシート１の巻き取り位置（長さ）を変えることで、他の図柄を選択して透明な面板１０と重ねるようにし、別の広告図柄を通行人に見せることができる。【００１７】  各３原色ＬＥＤ（発光ダイオード）６には制御コンピュータ（ＰＣ）１６により通電しないようにすると、図柄１８や図柄１９は太陽光の明かりで、地下街では通路照明で、見ることになり、電力消費を最小限に抑えることになる。図柄１８等は見えるが、図柄１８の無い部分２１は白濁状であり、ベースプレート５上の各３原色ＬＥＤ（発光ダイオード）６は見えないので見る人が違和感を抱くことは無い。
曇り日や雨時には自然光が暗くなり、遠くから図柄１８等が見え難くなるので、その時には、各３原色ＬＥＤ（発光ダイオード）６に制御コンピュータ（ＰＣ）１６により同時に同輝度になるように通電し、シート１の図柄１８等のうしろから、白色光を当てることにより図柄１８等を建物４から浮き立たせて見せることができる。【００１８】  夜になると、図３において、透明部２２がベースプレート５及び透明な面板１０と重なるような位置に来るように駆動部１７により設定する。
するとベースプレート５上の各３原色ＬＥＤ（発光ダイオード）６が透明な面板１０を通して外から見える位置になる。ベースプレート５上の各３原色ＬＥＤ（発光ダイオード）６の赤色ＬＥＤ７と青色ＬＥＤ８と黄色ＬＥＤ９とを制御コンピュータ（ＰＣ）１６で互いに独立に点灯・点滅制御して電光表示による数字“７”のようにその他動画や静止画広告等を表示できる。かくして夜間には、また昼間も太陽光が入らない広い地下街では大量の映像広告が表示できる。
透明な面板１０はシートとベースプレート５上の各３原色ＬＥＤ（発光ダイオード）６とを雨風や埃から保護するもので、表面に埃等が付着したら水やモップで拭き取るようにする。【００１９】  図１、図２において、枠体４を箱体に形成し、ベースプレート５の上下端部を、箱体の底板の内側に、面板１０の４辺をこの箱体の開口部に蓋のように、上・下のローラー１３の各ベアリングは同箱体の上・下板内側の一端部に、上・下のモーター１２は同一箱体の上・下板内側の他端部にそれぞれ固定して、看板装置１５を作製すれば、箱状の単体として製品化できる。箱状で単体の看板装置１５は任意サイズの商品として生産できるので、顧客の予算に合わせた大きさの装置が提供できる。箱状で運搬可能な単体の屋外用の看板装置１５は、適宜建物の壁や屋根、通りに面した窓際に置くことで通行人に見せることができる。
単体の看板装置１５は外部に設けた駆動部１７及び制御コンピュータ（ＰＣ）１６とケーブル等で電気的に接続する。
なお、上・下のローラー１３は手動で回転し、シートを巻き取ってもよい。
【産業上の利用可能性】
【００２０】  現代人が、毎日見る広告内容が昼夜切り替えられるようなり、広告効果が向上できる。利用者側からは、多くの中小企業が安い費用で効率よく昼夜の広告に参加できるようになる。提供者側には、昼間はペンキ描きの静止看板を簡単に変更することで、多くの利用者を獲得できる。夜間には電子看板を、電子制御によりリアルタイムの通告板とにし、季節ものや旬の宣伝が簡単に瞬時に行なうことが可能で便利である。毎日のニュース版としても使用できる。
【図面の簡単な説明】
【００２１】
【図１】  本考案の看板装置の構成を説明するための正面分解図である。
【図２】  本考案の看板装置の組み立て後の側面断面図である。
【図３】  本考案の３原色ＬＥＤによる夜間の広告表示状態を示す図である。
【図４】  本考案の昼間の広告表示状態を示す図である。
【符号の説明】
【００２２】１…シート、４…枠体、５…ベースプレート、６…３原色ＬＥＤ（発光ダイオード）、７…赤色ＬＥＤ、８…青色ＬＥＤ、９…黄色ＬＥＤ、１０…面板、１２…モーター、１３…ローラー、１５…看板装置、１６…制御コンピュータ（ＰＣ）、１７…駆動部、１８、１９、２０…図柄、２１…描かれない部分、２２…透明部。
【図１】
0003127763.tif 000003
【図２】
0003127763.tif 000004
【図３】
0003127763.tif 000005
【図４】
0003127763.tif 000006